(57)【要約】【課題】より正確な配量と、特に点眼剤を投与するために、簡単な取扱いを可能にする、ディスペンサおよび配量アッセンブリを提供する。【解決手段】媒体用のディスペンサが、片手で操作するために設けられている媒体貯蔵器を有し、その媒体貯蔵器が少なくとも１つの配量開口部を有し、かつ媒体貯蔵器が少なくとも部分的に、フレキシブルに形成された壁部分と、媒体貯蔵器へ操作力をもたらすための手がかりとして設けられている、少なくとも１つの形状の安定した保持プレートによって画成されている。媒体用のディスペンサが少なくとも１つの液状または粉末状の、特に薬事用の媒体のためのディスペンサである。媒体を配量するために使用する。【選択図】  図１
2007136205.tif 000002
【特許請求の範囲】
【請求項１】
片手で操作するために設けられた媒体貯蔵器（２；２ｂ）を有し、前記媒体貯蔵器が少なくとも１つの配量開口部（４；４ｂ）を有し、かつ少なくとも部分的に、フレキシブルに形成された壁部分（５；５ｂ）と少なくとも１つの形状の安定した保持プレート（６、１０；６ｂ、１０ｂ）によって画成されており、前記保持プレートが媒体貯蔵器（２；２ｂ）へ操作力をもたらすための手がかりとして設けられている、少なくとも１つの液状または粉末状の、特に薬事用の媒体のためのディスペンサ（１；１ｂ）。
【請求項２】
配量短管（７；７ｂ）に配量開口部（４；４ｂ）が形成されており、前記配量短管の中央長手軸（９）は、ディスペンサ（１；１ｂ）の人間工学的取扱いを保証するために、保持プレート（６、１０；６ｂ、１０ｂ）の外側面に対して１５度から５５度、好ましくは２５度から４５度、特に好ましくは３５度の角度で配置されていることを特徴とする請求項１に記載のディスペンサ（１；１ｂ）。
【請求項３】
フレキシブルな媒体貯蔵器（２、２ｂ）が、２つの対向して配置された形状の安定した保持プレート（６、１０；６ｂ、１０ｂ）によって画成されており、その場合に配量短管（７；７ｂ）が保持プレート（６、１０；６ｂ、１０ｂ）の一方に対応づけられていることを特徴とする請求項１に記載のディスペンサ（１；１ｂ）。
【請求項４】
配量開口部（４；４ｂ）が、別体の配量アッセンブリ（１１；１１ｂ）内に設けられており、前記配量アッセンブリが保持プレート（６、１０；６ｂ、１０ｂ）の一方に対応づけられた、収容筒として形成された配量短管（７；７ｂ）に取り付け可能であることを特徴とする請求項２または３に記載のディスペンサ（１；１ｂ）。
【請求項５】
収容筒として形成された配量短管（７；７ｂ）内に、配量アッセンブリ（１１）を相補形状でロックするための、少なくとも１つの、特に中央に配置された係止装置（１２、１３、１４、１５、３６；１２ｂ、１３ｂ）が設けられていることを特徴とする請求項４に記載のディスペンサ（１；１ｂ）。
【請求項６】
係止装置（１２、１３、１４、１５、３６）が、配量短管（７）の内側面（３０）および／または外側面の少なくとも１つの係止幾何学配置と、配量短管（７）の中央長手軸（９）に対して同軸に配置された係止ピン（１４）とを有し、それらが配量アッセンブリ（１１）をセンタリングして固定するために設けられていることを特徴とする請求項５に記載のディスペンサ（１；１ｂ）。
【請求項７】
配量アッセンブリ（１１；１１ｂ）が、ばねで付勢された排出弁（１７、１８；１７ｂ、１８ｂ）を有しており、前記排出弁が配量開口部（４；４ｂ）を一時的に閉鎖するために設けられていることを特徴とする請求項４または５に記載のディスペンサ（１；１ｂ）。
【請求項８】
フレキシブルな媒体貯蔵器（２；２ｂ）が、少なくとも１つの形状の安定した保持プレート（１０、１０ｂ）と一体的に形成されていることを特徴とする請求項１から７のいずれか１項に記載のディスペンサ（１；１ｂ）。
【請求項９】
媒体貯蔵器（２；２ｂ）のフレキシブルに形成された壁部分（５；５ｂ）の、形状の安定した保持プレート（６、１０；６ｂ、１０ｂ）へ向いた一周する端縁領域に、保持プレート（６、１０；６ｂ、１０ｂ）を結合するための形状の安定したカラー（２０）が設けられていることを特徴とする請求項１から８のいずれか１項に記載のディスペンサ（１；１ｂ）。
【請求項１０】
形状の安定したカラー（２０）に保持プレート（６、１０；６ｂ、１０ｂ）を相補形状で結合するために、一周する保持リング（２２）が設けられており、前記保持リングが保持プレート（６、１０；６ｂ、１０ｂ）およびカラー（２０）のそれぞれ前領域を把持して、互いに密着するように結合することを特徴とする請求項９に記載のディスペンサ（１；１ｂ）。
【請求項１１】
保持プレート（６、１０；６ｂ、１０ｂ）と形状の安定したカラー（２０）の前領域は、プラスチック射出成形方法において保持リング（２２）を射出形成する場合に、保持リング（２２）と前領域との間の密な、特に材料による結合をもたらすために、減少された材厚を有していることを特徴とする請求項１０に記載のディスペンサ（１；１ｂ）。
【請求項１２】
媒体貯蔵器（２；２ｂ）のフレキシブルに形成された壁部分（５；５ｂ）が少なくとも部分的に、プラスチック材料から、特にポリエチレンからなる０．１ｍｍから０．６ｍｍ、好ましくは０．２５ｍｍから０．５ｍｍの材厚を有するじゃばら（２５、２６）として形成されていることを特徴とする請求項１から１１のいずれか１項にきさいの（１；１ｂ）。
【請求項１３】
媒体貯蔵器（２；２ｂ）が少なくとも部分的に、特にじゃばら（２５、２６）の領域において、内側面および／または外側面に水蒸気バリア層、特に酸化ケイ素コーティングまたはポリパラキシレンコーティングを有していることを特徴とする請求項１から１２のいずれか１項に記載のディスペンサ（１；１ｂ）。
【請求項１４】
配量開口部（４；４ｂ）の領域内で、配量短管（７；７ｂ）または配量アッセンブリ（１１；１１ｂ）に、媒体滴を残りなしに搬出するための水切りエッジ（４６）が設けられていることを特徴とする請求項１から１３のいずれか１項に記載のディスペンサ（１；１ｂ）。
【請求項１５】
媒体貯蔵器（２ｂ）内への周囲空気の供給を許す、圧力補償手段（５２ｂ）が設けられており、その場合に圧力補償手段（５２ｂ）が媒体貯蔵器（２ｂ）の壁領域内に好ましくは、ディスペンサ（１ｂ）が操作された場合に前記圧力補償手段が媒体貯蔵器側で媒体によって包囲されているように、配置されていることを特徴とする請求項１から１４のいずれか１項に記載のディスペンサ（１；１ｂ）。
【請求項１６】
圧力補償手段（５２ｂ）が、好ましくは微生物の汚れを濾過するフィルタメンブレンを有していることを特徴とする請求項１５に記載のディスペンサ（１；１ｂ）。
【請求項１７】
弁ハウジング（２４；２４ｂ）を有し、前記弁ハウジングの壁領域（３３；３３ｂ）が配量開口部（４；４ｂ）によって貫通されており、前記配量開口部が弁ハウジング（２４；２４ｂ）内に収容された弁棒（１８；１８ｂ）によって閉鎖可能であって、その場合に弁棒（１８；１８ｂ）にピストンスリーブ（１９；１９ｂ）とばね装置（１７；１７ｂ）が対応づけられている、特に請求項１から１６のいずれか１項に記載のディスペンサのための、配量アッセンブリ（１１；１１ｂ）において、
ピストンスリーブ（１９；１９ｂ）の作用面（４４）が、配量開口部（４；４ｂ）の横断面より少なくとも５０倍、好ましくは１００倍、特に好ましくは２００倍大きいことを特徴とする配量アッセンブリ。
【請求項１８】
弁棒（１８；１８ｂ）が、閉鎖状態において配量開口部（４；４ｂ）をほぼ完全に充填し、かつ特に、弁ハウジング（２４；２４ｂ）の外表面（３３；３３ｂ）と少なくともほぼ同一面で終了するように、形成されていることを特徴とする請求項１７に記載の配量アッセンブリ（１１；１１ｂ）。
【請求項１９】
配量開口部（４；４ｂ）の前段に、媒体貯蔵器（２；２ｂ）から配量開口部（４；４ｂ）への体積流を減少させる、絞りが（３７；５０ｂ、５１ｂ）が配置されていることを特徴とする請求項１７または１８に記載の配量アッセンブリ（１１ｂ）。
【請求項２０】
絞りが、毛細管（５０ｂ）として形成されていることを特徴とする請求項１９に記載の配量アッセンブリ（１１ｂ）。
【発明の詳細な説明】
【技術分野】
【０００１】
本発明は、少なくとも１つの液状または粉末状の媒体を配量するためのディスペンサおよびこの種のディスペンサ用の配量アッセンブリに関する。
【背景技術】
【０００２】
従来技術からは、液状または粉末状の媒体、特に薬学的に作用する物質を配量するために設けられ、かつ媒体貯蔵器内に収容されている媒体の手動の配量を可能にする、ディスペンサが知られている。この種のディスペンサは、滴、滴の霧または粉末の霧の形状の媒体配量を可能にし、かつ特に、媒体を目、耳または鼻のような自然の体腔内へ投入するために使用される。従来技術からは、特に、この種のディスペンサを鼻点滴のためのピペットとして、目または耳点滴のための搾出し容器として、あるいは媒体を１回配量するための圧縮可能なプラスチックアンプルとして形成することが、知られている。特に点眼剤の投与の領域において、従来技術から知られたディスペンサは、取扱いが好ましくない。というのは、それが著しい操作力を必要とし、かつ多くは細い、大体において円筒状の幾何学配置を考慮して、媒体を目標通りに配量し、かつ適用するには十分に適していないからである。
【発明の開示】
【発明が解決しようとする課題】
【０００３】
本発明の課題は、より正確な配量と、特に点眼剤を投与するために、簡単な取扱いを可能にする、ディスペンサおよび配量アッセンブリを提供することにある。
【課題を解決するための手段】
【０００４】
本発明の解決手段を例示すると、特許請求の範囲の各請求項に記載の媒体配量用のディスペンサおよび配量アッセンブリである。
【発明の実施の形態】
【０００５】
前述の課題は、本発明の第１の視点によれば、片手で操作するために設けられた媒体貯蔵器を有する、冒頭で挙げた種類のディスペンサによって解決される。その場合に、媒体貯蔵器は少なくとも１つの配量開口部を有しており、かつ少なくとも部分的に、フレキシブルに形成された壁部分と、媒体貯蔵器へ操作力をもたらすための手がかりとして設けられている、少なくとも１つの形状の安定した保持プレートによって画成されている。ディスペンサを片手で操作できるということは、ディスペンサが典型的に親指と人差し指の間に収容されて、操作力を加えることによって圧縮されることを、意味している。従って、媒体貯蔵器内に収容された、貯蔵されている媒体が圧力を受けて、媒体貯蔵器に対応づけられている配量開口部から排出されることができ、すなわち媒体をディスペンサの周囲へ放出することができる。配量開口部は、狭い断面、特に媒体貯蔵器内に収容されている媒体の粘性に適合されたノズル断面を有している。水性の媒体を配量するために設けられている、好ましい実施形態においては、配量開口部は、約１．１ｍｍの平均直径、約１．４ｍｍの長さおよび３０度の円錐角を備えた円錐状の断面を有している。本発明の特に好ましい実施形態においては、配量開口部のために、０．８ｍｍの平均直径、１．４ｍｍの長さおよび３０度の円錐角が設けられている。
【０００６】
媒体貯蔵器の形態は、わずかな操作力で操作するように設計されており、従って媒体貯蔵器のフレキシブルに形成された壁部分が設けられており、その壁部分は、媒体貯蔵器内に所望の圧力構築を可能にするために、わずかな操作力においても容易に変形する。ディスペンサの簡単な操作を保証するために、少なくとも１つの形状の安定した保持プレートが設けられており、それが、もたらすべき操作力のための軸受台として用いられる。保持プレートは、ディスペンサの確実なグリップも可能にするので、特にディスペンサユーザーの目への、放出すべき媒体の所望の配量が保証されている。
【０００７】
本発明の形態においては、配量開口部は配量短管に形成されており、その配量短管の中央長手軸は、ディスペンサの人間工学的取扱いを保証するために、保持プレートの外側面に対して１５度から５５度の角度で配置されている。配量短管は、保持プレートに隆起して形成された、特に細長く形成された突出部である。配量短管は、たとえば、配量短管が円筒状に形成されている場合に、円筒軸に相当する、中央長手軸を有している。中央長手軸は、保持プレートに近似した平面によって記述される、保持プレートの外側面と１５度から５５度の角度を形成する。配量短管のこの方向付けによって、ユーザーは、目の中へ媒体を効果的に配量するために、保持プレートを目に隣接する顔領域に対して平行に向けることができる。ユーザーは、配量プロセスにおいて手を顔領域で支えることができるので、配量短管の、特に終端側に形成されている配量開口部を良好にコントロールしながら目に近づけることができる。その場合に配量短管は、配量開口部が設けられている、終端領域において細くなるように形成されているので、媒体を供給すべき目の視野を部分的にしか覆わない。それによって、たとえば鏡による、配量プロセスの十分なコントロールが可能である。好ましくは配量短管は、特に円筒状に形成されている場合に、２０ｍｍより小さい、特に好ましくは１５ｍｍより小さい直径を有している。本発明の好ましい実施形態においては、配量短管の中央長手軸は、保持プレートの外側面と２５度から４５度の角度を形成する。本発明の特に好ましい実施形態においては、中央長手軸と外側面の間に３５度の角度が設けられている。配量開口部は、配量短管の中央長手軸上の、好ましくは終端側に配置されている。しかし、配量開口部は、中央長手軸から変位して、配量短管の典型的に球状または円錐状に細くなるように形成されている終端領域に配置することもできる。
【０００８】
本発明の他の形態においては、フレキシブルな媒体貯蔵器が２つの対向して配置された形状の安定した保持プレートによって画成されており、その場合に配量短管は保持プレートの一方に対応づけられている。２つの対向する、特に互いに対してほぼ平行に方位付けされている、形状の安定した保持プレートによって、特に良好にコントロール可能に操作力をディスペンサへもたらすことが可能である。２つの保持プレートは、良好につまむことができるので、その間に配置されているフレキシブルな媒体貯蔵器へ定められたように力を加えることが保証されている。２つの形状の安定した保持プレートは、媒体貯蔵器のフレキシブルに形成された壁部分のみによって互いに結合することができる。しかしまた、フレキシブルな媒体貯蔵器の付加的な安定性とディスペンサを操作するための操作を容易にすることを保証するために、保持プレート間をリンク装置、特に固体ジョイントによって、付加的に結合することも考えられる。配量短管は、保持プレートの一方に対応づけられており、従ってディスペンサを操作する場合に、媒体貯蔵器のフレキシブルに形成された壁部分の変形効果によって、媒体を供給すべき目標、特に目に対してその方向性がずれ、あるいは揺動することがない。
【０００９】
本発明の他の形態においては、配量開口部が別体の配量アッセンブリ内に設けられており、その配量アッセンブリが、保持プレートに対応づけられた、収容筒として形成された配量短管に取り付け可能である。配量開口部を有する、別体の配量アッセンブリの形状は、一方で、特にプラスチック射出成形技術またはプラスチックブロー成形技術で形成することができる、保持プレートを有する媒体貯蔵器の好ましい形成を可能にする。他方で、別体の配量アッセンブリによって、ディスペンサが様々な、特に粘性の高い、あるいは低い液状媒体または粉末状媒体に簡単に適合できることを可能にする。一方で媒体貯蔵器と保持プレートを有し、他方で配量アッセンブリを有するディスペンサのモジュラー構造が、放出すべき媒体の特性に、特に排出すべき媒体の粘性に、適合できることを保証する。配量アッセンブリを媒体貯蔵器に取り付けるために、配量短管は収容筒として形成されているので、配量アッセンブリは相補形状、摩擦結合あるいは材料結合の組立てプロセス、またはその組合わせによって、配量短管に取り付けることができる。配量短管は、特にジャケット形状の幾何学配置を有しており、その中へ配量アッセンブリを挿入して、ロックすることができる。配量アッセンブリは、配量短管を配量開口部まで完全に閉鎖し、媒体の流出は配量開口部を通してのみ可能となる。
【００１０】
本発明の他の形態においては、収容筒として形成されている配量短管内に、配量アッセンブリを相補形状でロックするための少なくとも１つの係止装置が設けられている。係止装置によって、配量短管内に配量アッセンブリを相補形状でロックすることができる。そのために、配量短管と配量アッセンブリに、係止突片とアンダーカットのような、対応して形成された係止幾何学配置が設けられ、それらは配量アッセンブリを配量短管内へ取り付ける場合に互いに対して相補形状で作用結合する。従って、簡単かつ、配量短管と配量アッセンブリの製造誤差に関してクリティカルでない、配量短管内への配量アッセンブリの取り付けを保証することができる。本発明の好ましい実施形態においては、配量アッセンブリを相補形状でロックするために、少なくとも１つの中央に配置された係止装置が設けられている。中央に配置された係止装置は、配量短管の中央長手軸上に、あるいは少なくともそれに隣接して配置され、配量短管と配量アッセンブリの間で保持力の好ましい伝達を可能にする。
【００１１】
本発明の他の形態においては、係止装置は、配量短管の内側面および／または外側面の少なくとも１つの係止幾何学配置と、配量短管の中央長手軸に対して同軸に配置された係止ピンとを有しており、それらは配量アッセンブリをセンタリングして固定するために設けられている。それによって配量短管への配量アッセンブリの確実なロックを保証することができる。配量短管の内側面および／または外側面の係止幾何学配置が、配量短管内への配量アッセンブリの媒体密の組込みを可能にし、かつ係止突片とアンダーカットとして形成されている係止幾何学配置に加えて、特に一周して形成されたシール装置も有しているので、配量アッセンブリと配量短管の間の媒体の流出を排除することができる。配量短管の中央長手軸に対して同軸に配置された係止ピンによって、配量アッセンブリの付加的なロックが可能になり、その場合に係止ピンと、配量アッセンブリに対応して設けられている、特に係止突片の配置として形成された係止幾何学配置が、配量短管と配量アッセンブリの間の特に好ましい、中央の力伝達を可能にする。
【００１２】
本発明の他の形態においては、配量アッセンブリがばねで付勢された排出弁を有しており、その排出弁は配量開口部を２部材で閉鎖するために設けられている。特に、配量開口部を閉鎖するために設けられた弁棒とその弁棒に対応づけられた少なくとも１つの弁ばねとを有する、ばねで付勢された排出弁によって、ディスペンサの非作動状態において媒体貯蔵器からの媒体の流出が阻止される。同様に、媒体貯蔵器の周囲から配量開口部を通して汚染が侵入することも、回避することができる。本発明の実施形態において、ばねで付勢された排出弁は、配量開口部の２部材の閉鎖を無効にするために、強制ガイド装置と結合されており、その強制ガイド装置は媒体貯蔵器の２つの保持プレートが相対移動した場合に駆動されて、弁ばねの静的な付勢に抗して排出弁のための開放力をもたらす。本発明の好ましい実施形態においては、弁棒にピストンスリーブが対応づけられており、そのピストンスリーブは配量短管と配量アッセンブリによって画成される配量室を密閉し、かつ配量室内の媒体圧力が上昇した場合に弁ばねのばね付勢に抗して弁棒の退出駆動を可能にする。本発明の特に好ましい実施形態においては、配量開口部のために０．８ｍｍの平均直径、１．４ｍｍの長さおよび３０度の円錐角が設けられ、弁棒のためには２０度の円錐角が設けられている。それによって配量開口部と弁棒との間に約０．２ｍｍのシール長さが生じ、それが弁棒に作用する弁ばねのばね力を考慮して、周囲に対する媒体貯蔵器の微生物密の隔離を保証する。面圧力、従ってアッセンブリである配量開口部と弁棒との間で単位面積に作用する力は、少なくとも３Ｎ／ｍｍ２、好ましくは少なくとも５Ｎ／ｍｍ２、特に好ましくは少なくとも６Ｎ／ｍｍ２である。従って、配量開口部および／または弁棒の材料がそれぞれ対向するアッセンブリと接触する領域においてほぼその流動限界に近く圧縮され、従って表面粗度も、微生物的な密閉性を保証できるように、変形される。
【００１３】
本発明の他の形態において、媒体貯蔵器のフレキシブルに形成された壁部分の、形状の安定した保持プレートに向いた一周する端縁領域に、保持プレートを結合するための形状の安定したカラーが設けられている。形状の安定したカラーは、フレキシブルに形成された壁部分に一体的に形成されており、保持プレートへのフレキシブルな壁部分の取付けを可能にする。本発明の好ましい実施形態においては、フレキシブルに形成された壁部分は、ほぼジャケット形状またはじゃばらの形式で形成されており、環状に一周する形状の安定したカラーを有しており、そのカラーを保持プレートの対応して形成された収容幾何学配置に取り付けることができる。
【００１４】
本発明の他の形態において、形状の安定したカラーに保持プレートを相補形状で結合するために、一周する保持リングが設けられており、その保持リングが保持プレートとカラーのそれぞれ前領域を把持して、互いに密着するように結合する。従って保持リングは、保持プレートと、媒体貯蔵器のフレキシブルに形成された壁部分の形状の安定したカラーとの間の相補形状の結合を可能にするので、媒体密の結合を形成することができる。保持プレートおよび一周するカラーの輪郭に適合させることができ、かつ保持プレートと一周するカラーとの間でリング状に、特に円形リング状に形成することができる、保持リングは、結合平面に対して直交するように方位付けされた断面平面において、ほぼＵ字状の断面を有しており、その場合に所望の密な結合を保証するために、保持プレートと一周するカラーの前領域がＵ字状の断面の脚の間に収容されて、挟持されることができる。保持リングは、別体の構成部品として、カラーとそれに圧接された保持プレートの上に嵌め込むことができる。本発明の好ましい実施形態において、カラーと保持プレートは、プラスチック射出成形方法において保持リングを設けられる。
【００１５】
本発明の他の形態において、保持プレートと形状の安定したカラーは、プラスチック射出成形方法において保持リングを設ける場合に、保持リングと前領域との間に密な、特に材料による結合をもたらすために、前領域において減少された材厚を有している。形状の安定したカラーと保持プレートの前領域における減少された材厚は、プラスチック射出成形型へ一緒に収容することができる、一周するカラーと保持プレートの前領域に保持リングを射出形成する場合に、保持リングのための加熱されたプラスチック材料を装入する場合に、保持プレートと一周するカラーの前領域の局部的溶融がもたらされるように、設計することができる。それによって保持リング、一周するカラーおよび保持プレートの間の材料による結合を達成することができる。一周するカラーを保持プレートと熱的に溶接することも考えられるが、熱的な溶接の実施後に視覚的に好ましい表面を保証するためには、保持リングを射出形成することに比べて複雑な措置がとられなければならない。一周するカラーと保持プレートの間の超音波溶接も、同様に考えられるが、特にディスペンサを点眼用に使用するためには、余り適していない。というのは、超音波溶接の場合には、微小な粒子が発生され、それが後に媒体によって眼内への適用箇所にもたらされるからである。
【００１６】
本発明の他の形態においては、媒体貯蔵器のフレキシブルに形成された壁部分は、少なくとも部分的に、プラスチック材料からなる０．１ｍｍから０．６ｍｍの材厚を有するじゃばらとして形成されている。じゃばらとしての形状によって、すなわち、交互に配置された円錐台状のリングの連続によって、媒体貯蔵器のフレキシブルに形成された壁部分の特に好ましい柔軟性を達成することができる。じゃばらの形状によって、保持プレートに操作力をもたらした場合に媒体貯蔵器の構造的に良好に予め定めることのできる変形方向が保証されているので、均一な配量プロセスを保証することができる。本発明の好ましい実施形態においては、媒体貯蔵器のフレキシブルに形成された壁部分の材厚は、０．２５ｍｍから０．５ｍｍであり、じゃばらのためのプラスチック材料として、特にポリエチレンが設けられている。円錐台状のリング間の結合領域に、ジョイントゾーンを設けることができ、それは特に、媒体貯蔵器のフレキシブルに形成された壁部分の材厚の３０％から７０％、好ましくは４０％から６０％、特に好ましくは５０％の材厚で形成されている。
【００１７】
本発明の他の形態においては、フレキシブルな媒体貯蔵器は、内側面および／または外側面に少なくとも部分的に、水蒸気バリア層を有している。それによって、媒体貯蔵器内に収容されている、典型的に著しい水割合を有する媒体は、ディスペンサの保管時間が長い場合でも、水蒸気の形式で水が逃げることによりその濃度が変化しないことが、保証されている。それに対して、典型的にわずかな水割合しか持たない、粉末状の媒体のためには、水蒸気バリア層は、粉末状の媒体がふやけたり、あるいは固まったりするのを防止するために、わずかな含水量を保証するために設けられている。水蒸気バリア層は、じゃばらの領域に、従って媒体貯蔵器のわずかな材厚しか存在せず、かつ水蒸気のための高い透過率が存在する可能性のあるところに、この領域内でわずかな水蒸気拡散率を保証するために、設けることができる。特に酸化ケイ素コーティングとして、あるいはポリパラキシレンコーティングとして形成することができる、水蒸気バリア層は、特に外側および／または内側から媒体貯蔵器へ塗布することができる。媒体貯蔵器を水蒸気バリア層でコーティングするために、たとえば、プラズマコーティング方法を使用することができる。
【００１８】
本発明の他の形態においては、配量開口部の領域において配量短管または配量アッセンブリに、媒体滴を残りなく排出するための水切りエッジが設けられている。水切りエッジは、配量プロセスの間媒体滴の形成を支援し、媒体滴が流れ落ちる時に比較的大きい媒体量の残留を阻止する。それによってディスペンサの配量開口部の領域における、残留媒体による汚染を回避することができる。水切りエッジは、配量開口部を中心に、特にリング状に配置することができ、かつ、流出する媒体の少なくともほぼ残りのない流出を保証するために、尖って終わる断面を設けることができる。
【００１９】
ディスペンサの展開において、媒体貯蔵器内への周囲空気の流入を許す、圧力補償手段が設けられており、その場合に圧力補償手段は、媒体貯蔵器の壁領域に、好ましくは、ディスペンサを操作した場合に圧力補償手段が媒体貯蔵器側で媒体によって包囲されているように、配置することができる。
【００２０】
圧力補償手段は、操作後放出される媒体の体積を空気によって補償することができるので、媒体貯蔵器内の永続的な負圧が回避されることを、可能にする。その場合に、圧力補償手段は、ディスペンサを操作した場合に圧力補償手段による圧力損失が行われず、あるいはわずかな程度でしか行われないように、形成される。フィルタメンブレンを有する圧力補償手段を使用する場合には、それによって、メンブレンが単位時間当たりわずかな流量しか許さないので、操作後に時間的に問題にならない程度に空気がさらに流れることは可能であるが、操作により構築される圧力の崩壊は重要な程度では行われないことを、保証することができる。その場合に、疎水性のメンブレンとしてのメンブレンの形態が、特に効果的である。このことが、操作した場合にメンブレンが媒体貯蔵器側で媒体によって包囲されているように配置されている場合に、メンブレンを通しての媒体の流出を阻止する。圧力補償手段は、媒体貯蔵器自体の壁内（たとえば保持プレートの一方）にも、配量アッセンブリの、媒体貯蔵器を媒体アッセンブリへ向かって画成する壁部分にも、設けることができる。
【００２１】
ディスペンサの展開において、圧力補償手段は、好ましくは微生物的な汚れを濾過するフィルタメンブレンを有している。
【００２２】
本発明の基礎となる課題は、第２の視点によれば、弁ハウジングを有する配量アッセンブリによって解決され、その弁ハウジングは、壁領域において配量開口部によって貫通されており、その配量開口部は弁ハウジング内に収容されている弁棒によって閉鎖可能であって、その場合に弁棒にピストンスリーブとばね装置が対応づけられており、その場合にピストンスリーブの作用面は配量開口部の横断面積よりも少なくとも５０倍大きい。弁ハウジングは、特にジャケット状に形成することができ、ジャケットの前側の終端領域に部分的に球状または円錐状に形成された壁部分を設けることができ、その壁部分が配量開口部によって貫通されている。配量室は、弁ハウジングの壁部分とピストンスリーブとによって閉鎖されており、放出すべき媒体を媒体放出直前に収容する。従って配量開口部は、配量室と周囲との間の連通する接続を形成する。ピストンスリーブは、水圧的に作用する作用面を有しており、配量室内に収容された媒体に圧力を供給した場合に、その作用面上に開放力が作用する。開放力は、ばね装置によってもたらされる弁閉鎖力に対して少なくともほぼ正反対である。ピストンスリーブの作用面と配量開口部の横断面積の極端な比率によって、媒体の圧力が小さく、かつばね装置の閉鎖力が高い場合でも、弁棒による配量開口部の確実な解放が得られる。ばね装置は、弁棒が２つの配量プロセスの間で配量開口部を確実に、特に微生物密に閉鎖することができ、かつディスペンサの周囲から媒体貯蔵器内への汚染の侵入をほぼ排除できることを保証するために、高い閉鎖力をもたらすように設計されている。その場合に、弁棒と配量開口部との間に少なくとも３Ｎ／ｍｍ２、好ましくは少なくとも５Ｎ／ｍｍ２、特に好ましくは少なくとも６Ｎ／ｍｍ２の面圧力が達成される。弁装置の開放は、ユーザーが保持プレートに操作力を加えることによってもたらされる、０．５バールの圧力において行われる。
【００２３】
本発明の好ましい実施形態においては、ピストンスリーブの作用面は、配量開口部の横断面積よりも少なくとも百倍大きい。本発明の特に好ましい実施形態においては、ピストンスリーブの作用面は、配量開口部の横断面積よりも少なくとも２百倍大きい。その場合にばね装置は、特に渦巻きばねまたはつる巻きばねとして形成することができ、かつプラスチックまたは金属材料から形成することができる。
【００２４】
本発明の他の形態において、弁棒は、閉鎖状態において配量開口部を少なくともほぼ完全に閉鎖するように、形成されている。それによって、配量プロセスの実施後に配量開口部の外側に残留する媒体体積を最小限に抑え、あるいは完全に回避することができる。特に配量開口部の領域における液体残渣によって生じる可能性のあるような、汚染は、それによって効果的に減少され、あるいは防止される。従って媒体貯蔵器内へ汚染が侵入する危険も減少させることができる。この種の汚染は、微生物密の配量弁によって、ディスペンサの非作動状態においては阻止することができるが、配量プロセスの間に配量開口部の領域内に発生するような、残流効果によって、媒体貯蔵器の汚染が考えられる。本発明の好ましい実施形態においては、配量開口部は円錐状の孔として形成されており、かつ配量棒は前側に設けられた円錐状の突出部を有しており、その突出部が閉鎖状態において配量開口部を完全に充填する。配量開口部と配量棒の円錐状の形状によって、効果的なシール効果が得られる。さらにそれによって、配量弁の好ましい開放特性も得ることができる。というのは、配量開口部と弁棒との間の弁間隙が開放した場合に、圧力下にある媒体が閉鎖力に拮抗作用する力を弁棒の円錐状の突出部へもたらし、それが弁間隙のさらなる開放を支援するからである。本発明の好ましい実施形態においては、弁棒が、弁ハウジングの外表面と少なくともほぼ同一面で配量開口部を閉鎖するので、弁が閉鎖された場合に余分な媒体が弁ハウジングの外表面へ押し出されて、そこで蒸発するか、あるいは逃げることができるので、配量開口部の領域内で弁ハウジングの汚染をもたらす可能性のある、わずかな媒体量しか残らず、あるいはまったく残らない。本発明の特に好ましい実施形態においては、配量開口部と弁棒のために異なる円錐角が設けられており、その場合に弁棒の円錐角は配量開口部の円錐角よりも小さく選択される。それによって、わずかなシール長さを有する弁棒による配量開口部のほぼ完全な充填が実現される。シール長さは、弁棒と配量開口部の間の接触によってもたらされ、その場合に特に環状の線形接触が存在する。短いシール長さは、弁ばねのばね力を考慮して、高い面圧力を意味し、従って配量開口部の良好な微生物密封を保証する。
【００２５】
配量アッセンブリの展開において、配量開口部の前段に、媒体貯蔵器から配量開口部への体積流を減少させる、絞りが配置されている。
【００２６】
この種の絞りは、配量開口部の開放後に媒体貯蔵器から媒体が配量アッセンブリへ、そしてそこから配量開口部を通して急速にさらに流れることを阻止する。これが、操作する場合に大きすぎる力によって多すぎる媒体が放出されることを阻止する。この絞りを実現する可能性は、配量アッセンブリと媒体貯蔵器の間の単純な貫通部であって、その直径は十分小さく選択されている。直径は、媒体の粘性および意図される使用目的に従って定められる。多くの使用場合において、かつ点眼用に一般的な粘性において、０．１ｍｍと０．５ｍｍの間の直径が特に効果的である。
【００２７】
配量アッセンブリの展開において、絞りは毛細管として形成されている。
【００２８】
この種の形態において、絞りは、毛細管の形状の付加的な構成部品によって形成される。この構成部品は、組み立てる場合に、配量アッセンブリの、そのために設けられている収容部内へ挿入される。これは、それによって配量アッセンブリの形成がより簡単になり、さらに適合する毛細管の選択によって絞り作用の特に簡単な適合を得ることができるので、効果的である。０．１ｍｍと０．５ｍｍの間の直径を備えた毛細開口部と２ｍｍと４ｍｍの間の長さとを有する毛細管が、好ましい実施形態を表す。
【００２９】
本発明の他の利点と特徴は、請求項および、図面を用いて示される本発明の好ましい実施例についての、以下の説明から明らかにされる。
【実施例】
【００３０】
図１から４に示すディスペンサ１は、図５に詳細に示すように、液状の点眼材を配量するための点滴器である。ディスペンサ１は、下方の保持プレート１０、それに対してほぼ平行に配置された上方の保持プレート６および、保持プレート６、１０とじゃばら状のフレキシブルに折り畳まれた壁部分５によって形成される媒体貯蔵器２を有している。じゃばらとして形成されたフレキシブルな壁部分５は、図２と３に詳細に示すように、下方の保持プレート１０に一体的に形成されており、かつ共通の中心軸上に同心にそれぞれ対向して配置されて、互いに一体的に結合された、全部で６つの円錐台状のリング領域２５を有している。リング領域２５は、約０．２５ｍｍの材厚を有し、かつ、結合ゾーン２６においては、固体ジョイントのようにリング領域２５間の増大された柔軟性を保証するために、好ましくは５０％だけ材厚が減少されている。下方の保持プレート１０と上方の保持プレート６は、それぞれグリップ凹部２７、２８を有しており、それらは特に、ディスペンサ１を片手操作するために親指と人差し指のためのフィンガー載置部として用いることができる。特にポリプロピレンから形成することができる、上方の保持プレート６に、円筒状に成形された配量短管７が一体的に形成されており、その配量短管は上方の保持プレート６の表面から３５度の角度αで隆起して突出している。本発明の好ましい実施形態においては、媒体貯蔵器２の全部で６つのリング領域２５は、約２２ｍｍの平均の直径とそれぞれ約２．２ｍｍの高さを有しているので、約５０００ｍｍ３または約５ｍｌの媒体貯蔵器の容積が生じる。
【００３１】
図２と３に詳細に示すように、配量短管７は、大体において中空円筒状に形成された収容筒２９を有しており、その内壁には、配量アッセンブリ１１を相補形状で収容するために２つの環状に一周する、互いに軸方向に隔たった係止溝１２が設けられている。配量短管７の中央長手軸９に対して対称に、係止ピン１４が配置されており、その係止ピンは、配量アッセンブリ１１を相補形状で係止するために、中央長手軸９に対して同軸に１２０度のピッチで区分けされた３つの係止舌片１５を有している。収容筒２９は、流入通路３１を介して媒体貯蔵器２の内部と連通しており、保持プレート６、１０上に操作力が加えられ、それいよって媒体貯蔵器２の容積減少がもたらされた場合に、媒体貯蔵器２内に収容されている媒体が配量アッセンブリ１１の方向に流出することを可能にする。
【００３２】
特にポリエチレンから形成することができる、下方の保持プレート１０のフレキシブルに形成された壁部分５には、一周する、形状の安定した、かつ上方の保持プレート６の幾何学配置に適合されたカラー２０が設けられており、そのカラーは保持プレート６の、媒体貯蔵器へ向いた下側と共にシール面３２を形成し、かつそのカラーの前側の終端領域は保持プレート６と同様に細くなり、すなわち減少する材厚を有している。一周するカラー２０を上方の保持プレート５に確実に固定するために、前側に一周するように保持リング２２が射出形成されており、その保持リングが上方の保持プレート６と一周するカラー２０をシール面３２に関して摩擦結合で、かつ場合によっては材料結合でシールするように互いに結合している。この目的のために、保持リング２２は、ほぼＵ字状の横断面で形成されており、その場合に一周するカラー２０と上方の保持プレート６の前側の終端領域が、保持リング２２のＵ字状の横断面の脚の間に収容されている。
【００３３】
図４に詳細に示す、配量アッセンブリ１１は、ほぼ円筒ジャケット形状に形成された弁ハウジング２４を有している。弁ハウジング２４は、前側の領域に少なくともほぼ球形に形成された壁部分３３を有しており、その壁部分が中央長手軸９の領域において配量開口部４によって貫通されている。弁ハウジング２４は、外側に２つの環状に一周する、互いに隔たった係止突片１３を有しており、それらは配量短管７の収容筒２９内の係止溝１２と相補形状で作用結合するために設けられている。組立てを容易にし、かつ配慮短管７に対して配量アッセンブリ１１を正確に位置決めするために、弁ハウジング２４に環状に一周する保持カラー３４が設けられている。保持カラー３４は、配量アッセンブリ１１が配量短管７内へ深く嵌り込みすぎることを防止するために、配量短管７の前側と相補形状で作用結合することができる。弁ハウジング２４内に弁支持体３５が圧入されており、その弁支持体は配量開口部４とは反対側の終端領域に、上方の保持プレート６の係止ピン１４と−図２に詳細に示すように−相補形状で結合するために設けられた係止舌片３６を有している。弁支持体３５内に配置された透孔３７が、媒体貯蔵器２から配量開口部４の方向に媒体を供給することを可能にする。透孔３７は、弁棒１８を滑り軸承するために設けられている、収容孔３８と連通している。弁棒１８は、配量開口部４を閉鎖し、あるいは媒体排出のために解放するために、中央長手軸９に沿って図４に示す非作動位置から図示されていない開放位置へ変位可能である。弁支持体３５に、環状に一周する収容溝３９が対応づけられており、その中につる巻きばねとして形成されたばね装置１７を収容することができる。ばね装置１７は、付勢を有しており、弁棒１８に対応づけられたピストンスリーブ１９に配量開口部４の方向へ閉鎖力を加える。ピストンスリーブ１９は、弁棒１８に回転対称に一体的に取り付けられており、外側領域に環状に一周するシールエプロン４０を有しており、そのシールエプロンは、弁ハウジング２４の円筒壁４１とシールしながら滑り移動するように作用結合するために設けられている。弁棒１８には、中空室４２が設けられており、その中空室は、弁棒１８の、配量開口部４へ向いた終端領域に設けられた流出開口部４３へ連通する。それによって、媒体貯蔵器２と弁ハウジング２４およびピストンスリーブ１９によって形成される配量室４７との間に連通する作用接続が存在する。弁棒１８は、前側の終端領域において円錐状に細くなるように形成されており、その場合に３０度の円錐角が設けられており、かつ弁棒の最も小さい直径は約０．７５ｍｍである。
【００３４】
ピストンスリーブ１９の水圧作用面４４は、横断面積４５に対して、少なくとも５０：１の面積比になるように設計されているので、ばね装置１７の弁閉鎖力が強い場合でも、わずかな圧力においてすでに弁棒１８によって配量開口部４の開放を行うことができる。ばね装置１７から弁棒１８へもたらされる、強い閉鎖力は、弁棒１８による配量開口部４の効果的な微生物シールを保証する。
【００３５】
弁ハウジング２４の外側面に、環状に一周する水切りエッジ４６が設けられており、その水切りエッジはほぼ三角形の断面を有しており、配量開口部４を中心とする環状に形成された領域に対してシャープなエッジを形成するので、配量開口部４から媒体滴が排出された場合に、媒体滴の少なくともほぼ残留のない水切りをもたらす、好ましい滴形成を行うことができる。
【００３６】
弁棒１８は、前側の終端領域において円錐状に形成されており、ほぼ完全に配量開口部４内へ突出しており、その配量開口部も同様に図４の表示平面に関して円錐状の輪郭を有している。それによって弁棒１８は、壁部分３３の球状に形成された表面とほぼ同一平面で終了するので、配量開口部が閉鎖されている場合に壁部分３３の表面には、残った媒体が集まることのできる凹部はわずかしか残らない。
【００３７】
図５に示すように、ディスペンサ１を用いてユーザーの目に媒体を配量するために、保持プレート６、１０の方向付けは、ユーザーの目の下方のほほの領域に対してほぼ平行に選択される。その場合にディスペンサ１の人間工学的形状によって、配量開口部４を下方のまぶたへ近づけることができるので、配量開口部４から流出する媒体滴を管理して目に投入することができる。管理された投入は、本発明に基づくディスペンサにおいては、片手操作と保持プレート６、１０の大きい載置面およびじゃばら形状に形成された媒体貯蔵器の高い柔軟性によって支援され、さらに、極端な面積比によって特徴づけられる、配量アッセンブリ１１の弁特性が加わり、その配量アッセンブリは媒体のわずかな圧力においてすでに弁棒１８による配量開口部４の解放を可能にし、従って特に好ましい媒体放出を支援する。
【００３８】
図６と７は、本発明に基づくディスペンサの第２の実施形態を示している。その場合に、使用される参照符号は、図１から４の第１の実施形態の参照符号と一致しており、付加された文字ｂによって特徴づけられている。
【００３９】
図６から明らかなように、このディスペンサ１ｂの基本構造は、第１の実施形態におけるのとほぼ同一である。
【００４０】
ディスペンサは、同様に下方の保持プレートとそれに対して平行の上方の保持プレート６ｂ、１０ｂを有しており、それらの間に媒体貯蔵器２ｂが配置されており、その媒体貯蔵器は保持プレート６ｂ、１０ｂとじゃばらの形式のフレキシブルな壁部分５ｂによって閉鎖されている。上方の保持プレート６ｂは、流入通路３１ｂを有しており、その流入通路が媒体貯蔵器２ｂから円筒状の配量短管７ｂへの通路を提供する。この配量短管７ｂは、第１の保持プレート６ｂから斜め上方へ延びている。配量短管７ｂ内へ配量アッセンブリ１１ｂが挿入されており、それについては図６との関連においてさらに詳細に説明する。
【００４１】
その場合に、図１から４の実施形態とは異なり、配量アッセンブリ１１ｂは係止手段１２ｂ、１３ｂのみによって上方の保持プレート６に保持されている。係止手段１２ｂ、１３ｂは、配量短管７ｂの内側と配量アッセンブリ１１ｂの外側に互いに対応するように設けられている。配量短管の側において、それは一周する係止ウェブ１２ｂであって、それが配量アッセンブリ側の係止凹部１３ｂ内へ噛合する。図１から４の実施形態における係止ピン１４によるような中央の係止は設けられていない。このことが、製造を容易にし、かつ外側に位置する係止手段１２ｂ、１３ｂを適切に設計する場合には、何ら欠点をもたらさない。
【００４２】
図７は、第２の実施形態の配量アッセンブリ１１ｂを詳細な図で示している。配量アッセンブリ１１ｂも、図１から４の実施形態の配量アッセンブリ１１に対してわずかな違いしか有していない。
【００４３】
配量アッセンブリ１１ｂは、最も重要なコンポーネントとして弁ハウジング２４ｂ、弁ハウジング２４ｂ内へ挿入されて、弁ハウジング２４ｂに対して移動しない弁支持体３５ｂおよび弁ハウジング２４ｂの遠位の前壁部分３３ｂと弁支持体３５ｂとの間に挿入された弁棒１８ｂを有している。
【００４４】
弁支持体３５ｂは、中央に配置された収容孔３８ｂを有しており、その収容孔が弁棒１８ｂと協働する。収容孔３８ｂの底に収容部３７ｂが設けられており、その中に毛細管５０ｂが挿入されている。毛細管５０ｂの毛細開口部５１ｂを介して媒体が弁支持体３５ｂを通して配量アッセンブリ１１ｂ内へ流入することができる。弁棒１８ｂは、中空円筒状に形成されており、その、前壁部分３３ｂへ向いた端部において円錐状に細くなっており、かつ閉鎖して形成されている。弁棒１８ｂからピストンスリーブ１９ｂが半径方向外側へ延びており、その外側の端縁にシールエプロン４０ｂが形成されており、そのシールエプロンが弁ハウジング２４ｂの円筒壁４１ｂに密接して終わっている。弁棒１８ｂは、ピストンスリーブ１９ｂと弁支持体３５ｂの間のコイルばね１７ｂによって前壁部分３３ｂの方向へ押圧される。前壁部分３３ｂにおいて、弁棒の円錐状の端部が同様に円錐状に形成された配量開口部４ｂに添接して、この配量開口部を微生物密に閉鎖する。さらに、弁棒１８ｂの反対側の端部は、半径方向に一周するように、弁支持体３５ｂの収容開口部３８ｂと密着して終了している。弁棒１８ｂは、その円錐状の端部の領域に、貫通部４３ｂを有しており、その貫通部を通して、弁棒１８ｂ内の中空室４２ｂと、ピストンスリーブ４０ｂおよび前壁部分３３ｂによって形成される配量室４７ｂとの間の迅速な圧力補償が可能である。
【００４５】
弁ハウジング２４ｂの円筒壁４１ｂ内に、貫通部４８ｂが設けられており、それを通して、ピストンスリーブ４０ｂと弁支持体３５ｂの間に配置されている周囲圧室４９ｂが圧力差なしで周囲と接続されている。さらに、周囲圧室４９ｂは、貫通部５２ｂを介して媒体貯蔵器２ｂと接続されている。この貫通部内へフィルタメンブレンが挿入されており、それが周囲圧室４９ｂおよび周囲と媒体貯蔵器２ｂとの間のゆっくりとした圧力補償を許す。フィルタメンブレンは、さらに、媒体貯蔵器２ｂを微生物的にシールするために用いられる。周囲圧室４９ｂを介して媒体貯蔵器２ｂ内へ流入する周囲空気は、浄化されるので、媒体貯蔵器２内の媒体の汚染が回避される。ディスペンサ１ｂを操作した場合に、媒体は中空室４２ｂ内および配量室４７ｂ内へ達する。同時に、媒体貯蔵器２内、中空室４２内および配量室４７内の圧力が上昇する。周囲圧室４９ｂ内の圧力は、その間一定に留まる。貫通部５２ｂは、添接する媒体液が通過できないように形成されているので、媒体が貫通部５２ｂを通して流出することは行われない。
【００４６】
配量室４７ｂと周囲圧室４９ｂの間の圧力差によって、弁棒１８ｂはピストンスリーブ４０ｂと共に弁支持体３５ｂの方向へ摺動される。それによって配量開口部４ｂが弁棒１８の円錐状の端部が外れることにより解放されて、配量室４７ｂ内に含まれている媒体が流出することができる。毛細管５０ｂ内の毛細開口部５１ｂによって、非常に強く操作された場合でも、流出量の制限が得られることが、保証される。その場合に毛細開口部５１ｂは、絞りとして作用する。従って毛細開口部５１ｂを有する毛細管５０ｂは、図１から４の実施形態におけるような単純な透孔３７と同じ目的に用いられる。毛細管の使用は、もちろん、細かい孔の困難な形成が回避され、その代りに予め形成された毛細管５０ｂのための余り複雑でない収容部３７ｂを形成するだけで済む、という利点を有している。さらに、種々の毛細管を使用することによって、ディスペンサを種々の媒体タイプおよび使用目的に極めて簡単に適合させることができる。
【００４７】
排出プロセスの終了後に、媒体貯蔵器内には、媒体体積の減少に基づいて負圧が支配し、その負圧は、貫通部５２ｂとその中に挿入されているフィルタメンブレンを通して流入する空気によって再び補償される。
【００４８】
本発明の図示されていない実施形態においては、２つの保持プレートと一方の保持プレートに設けられている配量短管とを有する媒体貯蔵器の一体的な形状が実現される。この種の媒体貯蔵器は、特にブロー成形方法またはガスインジェクション方法において形成することができ、その場合に、場合によっては図１から５に示す媒体貯蔵器の、一体的な形成に適するような形状変更が行われる。
【００４９】
本発明の他の図示されていない実施形態においては、配量アッセンブリの代りに、配量短管の端部側に弾性的な弁部材が設けられる。特にシリコンのような高弾性材料から形成される、弾性的な弁部材は、配量短管の壁によって包囲されており、特にプレート形状のスリット弁として形成することができる。そのために高弾性的な材料の矩形、多角形または円形のプレートに、１つまたは複数の、特に互いに直交するように方位付けされたスリットが切り込まれる。切込みは、切断面が互いに密着し、片側に過圧がもたらされた場合に初めて、１つまたは複数のスリットの開口をもたらす、プレートの湾曲が行われるように、薄く形成されている。この種の弁部材によって、上述したディスペンサのための確実に閉鎖する、簡単な構造の配量弁を実現することができる。本発明の特に好ましい実施形態においては、弾性的な弁部材が弁ハウジング内に収容されており、かつ配量アッセンブリの代りに配量短管内へ挿入可能である。
【図面の簡単な説明】
【００５０】
【図１】２つの形状の安定した保持プレートの間に収容されたフレキシブルな媒体貯蔵器と、一方の保持プレートに設けられた、配量アッセンブリを備えた配量短管とを有する、本発明に基づくディスペンサの第１の実施形態を示す斜視図である。
【図２】図１に示すディスペンサを断面で示している。
【図３】図２に示す保持プレートを有する媒体貯蔵器を断面で示している。
【図４】図２に示す配量アッセンブリを断面で示している。
【図５】本発明に基づくディスペンサによる、ユーザーの目における配量プロセスを示している。
【図６】本発明に基づくディスペンサの第２の実施形態を断面で示している。
【図７】図６に示すディスペンサの、配量短管内に挿入された配量アッセンブリの詳細を示している。
【図１】
2007136205.tif 000003
【図２】
2007136205.tif 000004
【図３】
2007136205.tif 000005
【図４】
2007136205.tif 000006
【図５】
2007136205.tif 000007
【図６】
2007136205.tif 000008
【図７】
2007136205.tif 000009